(57)【特許請求の範囲】
【請求項１】
第１のカセットブロックと第２のカセットブロックとを備え、前記第１のカセットブロックに設けられたブラケットと前記第２のカセットブロックに設けられたブラケットとが重ねられ、前記各ブラケットに設けられた貫通孔にボルトが通されて、該ボルトにより前記ブラケット同士が共締めされた電気接続箱において、
前記各ブラケットに設けられた貫通孔の内面には金属製のカラーが取り付けられており、
前記各貫通孔の形状が断面略楕円形であるとともに、前記各カラーの形状が断面略楕円形の筒状であり、
前記各カラーが、当該カラーの長軸同士が交差するように、前記各ブラケットに取り付けられている
ことを特徴とする電気接続箱。
【発明の詳細な説明】
【技術分野】
【０００１】
本発明は、自動車に搭載される電気接続箱に関するものであり、特に、複数のカセットブロックを備えた電気接続箱に関するものである。
【背景技術】
【０００２】
自動車に搭載される電気接続箱は、車種に応じていろいろな構造のものがあるが、例えば、図６に示す電気接続箱２１０ように、複数の分割体２１０Ａ，２１０Ｂが互いに組み付けられて構成されたものがある（特許文献１を参照。）。
【０００３】
上記各分割体２１０Ａ，２１０Ｂには、貫通孔２１６が形成されたブラケット２１５，２１８が設けられており、これらブラケット２１５，２１８同士が重ねられて貫通孔２１６に通されたボルト２２０によって共締めされることにより、分割体２１０Ａ，２１０Ｂ同士が互いに組み付けられる。
【先行技術文献】
【特許文献】
【０００４】
【特許文献１】特開平６−１６５３４５号公報
【発明の概要】
【発明が解決しようとする課題】
【０００５】
ところで、合成樹脂で形成された上記ブラケット２１５，２１８の貫通孔２１６には、金属製のカラーが取り付けられることがあった。これは、ボルト２２０の締め付けトルクによってブラケット２１５，２１８が破損しないようにするためである。また、前記カラーは、貫通孔２１６の内面に沿う円筒形状に形成されている。
【０００６】
このようにブラケット２１５，２１８にカラーが取り付けられている場合、ブラケット２１５，２１８同士を重ね合わせた際、一方のカラーの端面の一部が他方のカラーの内側に落ち込んでしまい、ブラケット２１５，２１８同士に傾きが生じた状態でボルト２２０が締結されてしまうことがあるという問題があった。
【０００７】
したがって、本発明は、ブラケット同士が傾いた状態でボルトによって共締めされることを防止できる電気接続箱を提供することを目的とする。
【課題を解決するための手段】
【０００８】
上記目的を達成するために請求項１に記載された発明は、第１のカセットブロックと第２のカセットブロックとを備え、前記第１のカセットブロックに設けられたブラケットと前記第２のカセットブロックに設けられたブラケットとが重ねられ、前記各ブラケットに設けられた貫通孔にボルトが通されて、該ボルトにより前記ブラケット同士が共締めされた電気接続箱において、前記各ブラケットに設けられた貫通孔の内面には金属製のカラーが取り付けられており、前記各貫通孔の形状が断面略楕円形であるとともに、前記各カラーの形状が断面略楕円形の筒状であり、前記各カラーが、当該カラーの長軸同士が交差するように、前記各ブラケットに取り付けられていることを特徴とする電気接続箱である。
【発明の効果】
【０００９】
請求項１に記載された発明によれば、前記各ブラケットに設けられた貫通孔の内面には金属製のカラーが取り付けられており、前記各貫通孔の形状が断面略楕円形であるとともに、前記各カラーの形状が断面略楕円形の筒状であり、前記各カラーが、当該カラーの長軸同士が交差するように、前記各ブラケットに取り付けられているので、一方のカラーの端面と他方のカラーの端面とが常に４点で接触することになり、ブラケット同士を傾くことなく安定した状態で重ねることができる。よって、ブラケット同士が傾いた状態でボルトによって共締めされることを防止できる。
【図面の簡単な説明】
【００１０】
【図１】本発明の一実施の形態にかかる電気接続箱を示す斜視図である。
【図２】図１に示された電気接続箱の分解図である。
【図３】図２に示された第１のカセットブロック及び第２のカセットブロックの平面図である。
【図４】図３に示された第１のカセットブロック及び第２のカセットブロックの斜視図である。
【図５】図３中のＡ部の拡大図である。
【図６】従来の電気接続箱を示す斜視図である。
【発明を実施するための形態】
【００１１】
本発明の一実施の形態にかかる電気接続箱１を図１〜５を参照して説明する。電気接続箱１は、自動車に搭載されて、該自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００１２】
図１，２に示すように、電気接続箱１は、複数の電子部品１１，１２，１３，１４と、配線部材であるバスバ１５と、これら複数の電子部品１１，１２，１３，１４及びバスバ１５が装着される第１のカセットブロック２、第２のカセットブロック３、第３のカセットブロック４０と、これらカセットブロック２，３，４０の下面に取り付けられるインナーカバー５と、カセットブロック２，３，４０及びインナーカバー５を収容する本体ケース６と、本体ケース６の上面を覆うアッパカバー７と、本体ケース６内に引き込まれる電源線１０の外周に取り付けられて本体ケース６を防水するグロメット９と、本体ケース６外に導出されるワイヤハーネスの電線束（不図示）の外周に取り付けられて本体ケース６を防水するグロメット８と、を備えている。
【００１３】
上記第１のカセットブロック２は、合成樹脂で構成されており、図３，４に示すように、ブロック状に形成された本体部２０と、複数のブラケット２１，２２と、複数の係止部２７，２８，２９と、を備えている。
【００１４】
上記本体部２０には、電子部品１１，１２が装着される部品装着部２３，２４と、バスバ１５が差し込まれるバスバ取付溝２５と、ボルト１６が取り付けられるボルト取付部２６と、が設けられている。前記バスバ１５は、金属板にプレス加工が施されて得られるものである。前記ボルト１６は、上記電源線１０の端末に接続された端子金具１７と、前記バスバ１５の端部とを共締めするためのボルトである。
【００１５】
上記ブラケット２１は、本体部２０の外側面に設けられており、ボルト４３の軸部４１が通される貫通孔２１ａが形成されている。このブラケット２１は、図４中に矢印Ｂで示すように、第２のカセットブロック３に設けられたブラケット３１と重ねられて、ボルト４３及びナット４４によってブラケット３１と共締めされる。また、これらブラケット２１，３１は、特許請求の範囲に記載したブラケットに相当する。上記ブラケット２２は、本体部２０の角部に設けられており、ボルトが通される貫通孔２２ａが形成されている。このブラケット２２は、本体ケース６の底壁に取り付けられたボルトに固定される。また、各ブラケット２１，２２の貫通孔２１ａ，２２ａの内面には、金属製のカラー４が取り付けられている。
【００１６】
上記係止部２７，２８，２９は、本体部２０の外側面に設けられている。係止部２７には、第３のカセットブロック４０に設けられた係止部が係止する。係止部２８には、本体ケース６の側壁に設けられた係止部が係止する。係止部２９には、第２のカセットブロック３に設けられた係止部３７が係止する。この係止部２９は、矢印Ｙ方向に延びた一対のレール２９ｂと、一対のレール２９ｂ間に設けられた係止突起２９ａと、で構成されている。
【００１７】
上記第２のカセットブロック３は、合成樹脂で構成されており、図３，４に示すように、ブロック状に形成された本体部３０と、複数のブラケット３１，３２と、複数の係止部３６，３７と、を備えている。
【００１８】
上記本体部３０には、電子部品１１，１３が装着される部品装着部３３，３４と、バスバ取付溝（不図示）と、が設けられている。
【００１９】
上記ブラケット３１は、本体部３０の角部に設けられており、ボルト４３の軸部４１が通される貫通孔３１ａが形成されている。このブラケット３１は、前述したように、第１のカセットブロック２に設けられたブラケット２１と重ねられて、ボルト４３及びナット４４によってブラケット２１と共締めされる。上記ブラケット３２は、本体部３０の他の角部に設けられており、ボルトが通される貫通孔３２ａが形成されている。このブラケット３２は、本体ケース６の底壁に取り付けられたボルトに固定される。また、各ブラケット３１，３２の貫通孔３１ａ，３２ａの内面には、金属製のカラー４が取り付けられている。
【００２０】
上記係止部３６，３７は、本体部３０の外側面に設けられている。係止部３６には、本体ケース６の側壁に設けられた係止部が係止する。係止部３７には、第１のカセットブロック２に設けられた係止部２９が係止する。この係止部３７は、矢印Ｙ方向に延びた一対のレール３７ｂと、一対のレール３７ｂ間に設けられた係止突起３７ａと、で構成されている。一対のレール３７ｂは、互いの間に一対のレール２９ｂを矢印Ｙ方向に移動可能に位置付ける。また、係止突起３７ａは、係止突起２９ａに係止する。
【００２１】
上記第３のカセットブロック４０は、合成樹脂で構成されており、電子部品１４と該電子部品１４に接続されるワイヤハーネスの電線とを保持する。この第３のカセットブロック４０は、前述したように、第１のカセットブロック２の本体部２０の外側面に取り付けられる。
【００２２】
上述した電気接続箱１は、以下の手順で組み立てられる。
【００２３】
まず、ボルト１６、バスバ１５、複数の電子部品１１，１２，１３，１４等の各部品を各カセットブロック２，３，４０に装着する。次に、ワイヤハーネスの複数の電線を各電子部品１１，１２，１３，１４及びバスバ１５に接続する。次に、電源線１０の端末の端子金具１７とバスバ１５の端部とを、ボルト１６及びナット１８によって共締めする。
【００２４】
次に、第１のカセットブロック２の係止部２９と第２のカセットブロック３の係止部３７とを矢印Ｙに沿って近付けて係止させる。続いて、互いに重ね合わされたブラケット２１，３１の貫通孔２１ａ，３１ａにボルト４３を通し、該ボルト４３にナット４４を螺合させて、ブラケット２１，３１同士を共締めする。こうして、第１のカセットブロック２と第２のカセットブロック３とを組み付ける。
【００２５】
次に、第１のカセットブロック２の係止部２７と第３のカセットブロック４０の係止部とを矢印Ｙに沿って近付けて係止させ、第１のカセットブロック２と第３のカセットブロック４０とを組み付ける。
【００２６】
次に、互いに組み付けられたカセットブロック２，３，４０の下面にインナーカバー５を取り付ける。そして、一体化されたカセットブロック２，３，４０及びインナーカバー５を本体ケース６内に挿入するとともに、本体ケース６の底壁に取り付けられた各ボルトを各ブラケット２２，３２の貫通孔２２ａ，３２ａに通し、各ボルトにナットを螺合させて、カセットブロック２，３，４０及びインナーカバー５を本体ケース６に固定する。
【００２７】
次に、電源線１０の外周に取り付けられたグロメット９と、ワイヤハーネスの電線束の外周に取り付けられたグロメット８とを本体ケース６に設けられた各挿通孔に取り付ける。そして、本体ケース６の上面にアッパカバー７を取り付ける。このような手順で電気接続箱１が組み立てられる。
【００２８】
本発明の電気接続箱１は、上述したように、第１のカセットブロック２と第２のカセットブロック３とを先に組み付けておいてからこれらを一緒に本体ケース６内に挿入する構成である。このため、仮に、第１のカセットブロック２のブラケット２１と第２のカセットブロック３のブラケット３１とが傾いた状態で共締めされていると、他のブラケット２２，３２の貫通孔２２ａ，３２ａの位置が本体ケース６の底壁に取り付けられたボルトに対してずれてしまい、これら貫通孔２２ａ，３２ａにボルトを通すことが困難になってしまうという不都合が生じる。そこで、本発明では、以下に説明する構造を採用することで第１のカセットブロック２のブラケット２１と第２のカセットブロック３のブラケット３１とが傾いた状態でボルト４３によって共締めされることを防止している。
【００２９】
すなわち、図５に示すように、本発明では、ブラケット２１，３１の各貫通孔２１ａ，３１ａの形状が断面略楕円形に形成されており、各貫通孔２１ａ，３１ａの内面に取り付けられる各カラー４の形状が各貫通孔２１ａ，３１ａと等しい断面略楕円形の筒状に形成されている。さらに、各カラー４は、当該カラー４の長軸Ｐ１，Ｐ２同士が交差するように、各ブラケット２１，３１に取り付けられている。
【００３０】
また、上記カラー４は、ボルト４３の締め付けトルクによってブラケット２１，３１が破損しないようにするためのものであり、インサート成形または圧入によって貫通孔２１ａ，３１ａの内面に取り付けられている。また、各カラー４の軸方向の両端面は、わずかに各貫通孔２１ａ，３１ａ外に突出している。さらに、本実施形態では、図５に示すように、ブラケット２１側のカラー４の長軸Ｐ１とブラケット３１側のカラー４の長軸Ｐ２とが９０度の角度をなしている。また、ボルト４３の頭部４２は、カラー４の内側を通らない大きさとされている。
【００３１】
上述した構成によれば、第１のカセットブロック２及び第２のカセットブロック３に、多少の部品寸法誤差が生じている場合でも、ブラケット２１側のカラー４の端面とブラケット３１側のカラー４の端面とが常に４点で接触することになり、ブラケット４同士を傾くことなく安定した状態で重ねることができる。よって、ブラケット４同士が傾いた状態でボルト４３によって共締めされることを防止できる。したがって、一体化されたカセットブロック２，３，４０及びインナーカバー５を本体ケース６内に挿入する際、本体ケース６の底壁に取り付けられたボルトを各ブラケット２２，３２の各貫通孔２２ａ，３２ａに確実に通すことができる。
【００３２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３３】
１  電気接続箱
２  第１のカセットブロック
３  第２のカセットブロック
４  カラー
２１，３１  ブラケット
２１ａ，３１ａ  貫通孔
４３  ボルト
Ｐ１，Ｐ２  長軸
【図１】
0005750335.tif 000002
【図２】
0005750335.tif 000003
【図３】
0005750335.tif 000004
【図４】
0005750335.tif 000005
【図５】
0005750335.tif 000006
【図６】
0005750335.tif 000007